(57)【要約】【課題】本発明は、半田付けタイプ用コネクタに関し、外側のシェルとコンタクトの半田付け部との絶縁構造において、作業能率を向上させて、コストの低減を図ることが課題である。        【解決手段】絶縁性ハウジング２と、該ハウジングに配設される複数のコンタクト３と、前記ハウジングに係止されて前記複数のコンタクトにおける芯線４ａとのハンダ付け部５を纏めて囲繞するシールド用シェ６ルと、を少なくとも有して成るコネクタにおいて、前記シェル６の内側で前記ハウジングの後部に筒状に係止されて前記複数のハンダ付け部５を囲繞する絶縁用の熱収縮チューブ７を設けて成るコネクタ１とする。【選択図】図１
2006172990.tif 000002
【特許請求の範囲】
【請求項１】
絶縁性ハウジングと、該ハウジングに配設される複数のコンタクトと、前記ハウジングに係止されて前記複数のコンタクトにおける芯線とのハンダ付け部を纏めて囲繞するシールド用シェルと、を少なくとも有して成るコネクタにおいて、
前記シェルの内側で前記ハウジングの後部に筒状に係止されて前記複数のハンダ付け部を囲繞する絶縁用の熱収縮チューブを設けて成ること、
を特徴とする半田付けタイプ用コネクタ。
【請求項２】
熱収縮チューブが筒状に係止されるハウジングの係止部には、該熱収縮チューブの抜去を防止する係止突起が設けられていること、
を特徴とする請求項１に記載の半田付けタイプ用コネクタ。
【発明の詳細な説明】
【技術分野】
【０００１】
本発明は、例えば、半田付けタイプ用コネクタに関するものである。
【背景技術】
【０００２】
従来、例えば、複数本の芯線が束ねられているハーネス，フラットケーブル，同軸ケーブル等のシールド付きケーブルをハンダ付けして接続するコネクタ１０において、図９に示すように、コネクタ１０のコンタクト１１に、同軸ケーブルの芯線１２をハンダ１３でハンダ付けする。そして、金属製インナーシェル１４と前記ハンダ１３との間に、絶縁用のテープ１５を設けるために、当該インナーシェル１４の内側面の所定の位置に、このテープ１５を貼着しているものが知られている（特許文献１参照）。
【特許文献１】特開平２００４−３１２９１号公報
【発明の開示】
【発明が解決しようとする課題】
【０００３】
しかし、従来の半田付けタイプ用コネクタ１０では、上下２箇所の前記インナーシェル１４の内側にテープ１５を貼着するための、あらかじめコネクタの種類に応じた所要の大きさに切断したテープ１５を用意し、それを人手によりピンセット等で取って所定の箇所に貼るので、設備が必要となり、手間が掛かってコストが嵩む。
本発明に係る半田付けタイプ用コネクタは、このような課題を解決するために提案されたものである。
【課題を解決するための手段】
【０００４】
本発明に係る半田付けタイプ用コネクタの上記課題を解決して目的を達成するための要旨は、 絶縁性ハウジングと、該ハウジングに配設される複数のコンタクトと、前記ハウジングに係止されて前記複数のコンタクトにおける芯線とのハンダ付け部を纏めて囲繞するシールド用シェルと、を少なくとも有して成るコネクタにおいて、前記シェルの内側で前記ハウジングの後部に筒状に係止されて前記複数のハンダ付け部を囲繞する絶縁用の熱収縮チューブを設けて成ることである。
【０００５】
また、熱収縮チューブが筒状に係止されるハウジングの係止部には、該熱収縮チューブの抜去を防止する係止突起が設けられていることを含むものである。
【０００６】
このようなコネクタにおいて、前記熱収縮チューブが、コンタクトのハンダ付け部を纏めて囲繞して絶縁する。この熱収縮チューブを予めケーブルの先端部から内側に差し込んでおいて、芯線のコンタクトとのハンダ付けが終了した後に、この熱収縮チューブをハウジングの後部に筒状に係止することで、熱を加えて収縮させるものである。なお、コネクタの先端側からこの熱収縮チューブを差し込むこともある。また、係止突起が設けられることで、収縮した熱チューブの抜け防止となる。
【発明の効果】
【０００７】
本発明の半田付けタイプ用コネクタによれば、シールド用シェルとコンタクトのハンダ付け部との間に存在する絶縁部材として、従来のテープ貼着に代わって、熱収縮チューブを採用したことで、手間が削減されコスト低減となると共に、係止突起により確実に絶縁性を確保できるようになる。
【発明を実施するための最良の形態】
【０００８】
本発明に係る半田付けタイプ用コネクタ１は、図１に示すように、絶縁性ハウジング２と、該ハウジング２に配設される複数のコンタクト３と、前記ハウジング２に係止されて前記複数のコンタクト３におけるリード線４の芯線４ａとのハンダ付け部５を纏めて囲繞するシールド用シェル６（上シェル６ａ，下シェル６ｂ）と、を少なくとも有して成る。
【０００９】
前記コネクタ１は、絶縁性ハウジング２の前方に相手方コネクタとの嵌合接続を図る雄型コネクタ群２ｂがハウジング前端面から突設され、その周囲を当該ハウジング２に係止されるシェル８が囲繞している。
【００１０】
また、図２乃至図３に示すように、ハウジング２の後部には、左右端部に側壁部２ａが設けられ、その間には、コンタクト３の後端部におけるハンダ付け部５を支持する支持部２ｃが形成されている。コンタクト３は、上下でそれぞれに２段で配設されている。
【００１１】
ハウジング２にコンタクト３が圧入された後に、そのコンタクト３の後端部にハウジング２とは別体の支持部２ｃが、嵌合装着されるものである。当該支持部２ｃは、製造上の都合により、ハウジング２とは別体にして図４乃至図５に示すように、スペーサー２ｄとして形成される。
【００１２】
このスペーサー２ｄは、コンタクト３の配列に対応させて挿入孔が上下方向へ４段に配設され、形成される。そして、左右側壁外面における中央部で、前後方向に形成されたガイド溝２ｅにより、図３（Ｂ）に示す前記ハウジング２のガイド２ｆに嵌合させ、前後方向にスライドさせて当該スペーサー２ｄをハウジング２に嵌合させるものである。このガイド溝２ｅに形成されたロック用突起２ｇ（図４（Ｂ）参照）が、ハウジング２側の凹部２ｈに係止して、抜け止めとなるものである。
【００１３】
前記ハウジング２の側壁部２ａと、前記スペーサー２ｄの左右側壁における上面と下面とには、図１乃至図５に示すように、前方向に迫り上がった係止突起２ｉ，２ｊが形成されている。この係止突起２Ｉ，２ｊにより、熱収縮チューブ７の抜け防止の作用をさせるものである。
【００１４】
前記スペーサー２ｄと前方にシェル８を取り付けて組立たものが、図６及び図７に示すコネクタ１である。そして、図８に示すように、前記コネクタ１において、前記シェル６の内側であって、前記ハウジング２の後部の側壁部２ａに筒状に係止されて、前記複数のハンダ付け部５を囲繞する絶縁用の熱収縮チューブ７が設けられる。
【００１５】
前記熱収縮チューブ７の取付方法は、最初に、ケーブル４ｂ側に筒状の熱収縮チューブ７を通しておき、各リード線４の芯線４ａをコンタクト３にハンダ付けした後に、前記熱収縮チューブ７を前方に押し出して、ハンダ付け部５を囲繞させ、ハウジング２及びスペーサー２ｄの係止突起２ｉ，２ｊを越えて前端部程度まで被せる。そして、ドライヤー等の加熱装置で前記熱収縮チューブ７を加熱して、収縮させる。更に、シールド用のシェル６ａ，６ｂを被せて、図８に示す状態にする。
【００１６】
前記熱収縮チューブ７は、加熱されたことで大きく収縮し、ハウジング２の後部の側壁部２ａ，２ａを覆うとともに、ハンダ付け部５の絶縁作用をする。また、前記係止突起２ｉ，２ｊにより、後方へ抜け出ないように、抜け止めされる。
【００１７】
前記熱収縮チューブ７を、コネクタ１の前方側からも装着させる様にすることができる。即ち、ケーブル４ｂの各リード線４における芯線４ａをコンタクト３にハンダ付けした後に、筒状の熱収縮チューブ７を、コネクタ１の前方のシェル８に挿通可能な大きさにして通し、更に、ハウジング２に被せ、後端の側壁部２ａ，２ａとその中間部のほぼ全部を覆うように被覆させ、ドライヤー等の加熱装置で加熱する。このような、熱収縮チューブ７の装着方法によれば、筒状の熱収縮チューブ７を、予めケーブル４ｂにその端部から差し込んで挿通させておかなければならない、という作業手順に拘束されることが無くなる。よって、コネクタ１に熱収縮チューブ７を取付ける作業の能率が向上することになる。
【図面の簡単な説明】
【００１８】
【図１】本発明に係る半田付けタイプ用コネクタ１の、シェル６を分解した状態の斜視図である。
【図２】同本発明の半田付けタイプ用コネクタ１の、シェル６を除いて異なる方向から見た斜視図（Ａ），（Ｂ）である。
【図３】同コネクタ１におけるハウジング２の、正面図（Ａ）、底面図（Ｂ）、側面図（Ｃ）、背面図（Ｄ）、同図（Ａ）のＸ−Ｘ線に沿った断面図（Ｅ）である。
【図４】同コネクタ１におけるスペーサー２ｄの、正面図（Ａ）、側面図（Ｂ）、背面図（Ｃ）、底面図（Ｄ）である。
【図５】同スペーサー２ｄの、図４（Ｃ）におけるＹ−Ｙ線に沿った断面図である。
【図６】同コネクタ１の正面図（Ａ）、底面図（Ｂ）、側面図（Ｃ）、背面図（Ｄ）である。
【図７】図６（Ｄ）におけるＺ−Ｚ線に沿った断面図である。
【図８】同コネクタ１の使用状態の縦断面図である。
【図９】従来例に係るハンダ付けタイプ用コネクタ１０の使用状態の縦断面図である。
【符号の説明】
【００１９】
１          半田付けタイプ用コネクタ、
２          絶縁性ハウジング、        ２ａ      側壁部、
２ｂ        雄型コネクタ群、          ２ｃ      支持部、
２ｄ        スペーサー、              ２ｅ      ガイド溝、
２ｆ        ガイド、                  ２ｇ      ロック用突起、
２ｈ        凹部、                    ２ｉ      係止突起、
２ｊ        係止突起、  
３          コンタクト、
４          リード線、                ４ａ      芯線、
４ｂ        ケーブル、
５          ハンダ付け部、
６（６ａ，６ｂ）            シェル、
７          熱収縮チューブ、
８          シェル、
１０        従来例のコネクタ、
１１        コンタクト、
１２        芯線、    
１３        ハンダ、
１４        インナーシェル、
１５        テープ。
【図１】
2006172990.tif 000003
【図２】
2006172990.tif 000004
【図３】
2006172990.tif 000005
【図４】
2006172990.tif 000006
【図５】
2006172990.tif 000007
【図６】
2006172990.tif 000008
【図７】
2006172990.tif 000009
【図８】
2006172990.tif 000010
【図９】
2006172990.tif 000011